(57)【特許請求の範囲】
【請求項１】
撮影レンズの前面を開閉するレンズバリアと、このレンズバリアの一端を係止するとともに前記レンズバリアを回動させて開閉駆動させるバリア駆動体と、前記レンズバリアおよび前記バリア駆動体を回動自在に保持するバリア押さえとを備えたレンズバリアの開閉装置において、
一端側が前記レンズバリアに係止され、他端側が前記バリア駆動体に係止され、通常動作時は前記バリア駆動体と共に回動し前記レンズバリアと前記バリア駆動体を単につなぐ作用をする弾性体を設け、
さらに、前記バリア押さえには、駆動ギアを設け、前記バリア駆動体には、前記駆動ギアと噛み合うことで前記駆動ギアの回動を伝え前記バリア駆動体を回動させる被駆動ギアと、前記レンズバリアの一端が挿入され、その一端がその内部を周方向に相対移動可能となる周方向に長い長孔とを設け、
前記バリア駆動体を前記レンズバリアが閉じる方向に回動させた場合で、前記レンズバリアが開いたまま動作しなくなったときには、前記レンズバリアの一端が前記長孔内を周方向に相対移動すると共に前記弾性体に弾性力が働き、前記バリア駆動体が前記閉じる方向に正常に回動することを特徴とするレンズバリアの開閉装置。
【請求項２】
前記バリア駆動体を回転リングとするとともに、前記駆動ギアの一部に噛合ギアを設け、この噛合ギアを前記撮影レンズを保持する鏡胴の動きと連動して動作するバリアレバーのギア部と噛み合わせたことを特徴とする請求項１記載のレンズバリアの開閉装置。
【請求項３】
前記被駆動ギアをフェイスギアとしたことを特徴とする請求項１または２記載のレンズバリアの開閉装置。
【請求項４】
一端側が前記バリア押さえに係止され、他端側が前記バリア駆動体に係止され、前記バリア駆動体を一方方向に付勢することで、前記レンズバリアを開方向に付勢することとなる付勢バネを設け、前記駆動ギアは、この装置を備えるカメラの鏡胴が沈胴したり繰り出されたときにスライドするバリアレバーと噛み合うようにされ、前記沈胴状態では、前記付勢バネに抗して、前記バリアレバーがスライドしないようにし、前記駆動ギアの回転を阻止することで前記レンズバリアを閉状態に維持し、前記鏡胴が繰り出されるときは、前記付勢バネの力により、前記バリアレバーがスライドするようにし、前記駆動ギアを回転させ、前記バリア駆動体を前記閉じる方向とは逆となる方向に回動させることで、前記レンズバリアを開くことを特徴とする請求項１、２または３記載のレンズバリアの開閉装置。
【発明の詳細な説明】
【０００１】
【発明の属する技術分野】
本発明は、カメラの撮影レンズの前面に設けられたレンズバリアの開閉装置に関する。特に、鏡胴が筐体から伸長したり沈胴したりするズーム付き全自動カメラに適用して好ましいものである。
【０００２】
【従来の技術】
カメラ、特にズーム付き全自動カメラ等におけるズームレンズでは、その撮影レンズの前面に、レンズを覆ったり、露出させたりするレンズカバーとなるレンズバリアが設けられている。このレンズバリアは、複数、例えば一対の羽根状のバリア羽根を回動させて開閉させるようになっているものが多い。例えば、実開昭６３−２６８３２号公報等に示されるレンズバリア３１では、図８および図９に示すように、バリア羽根３２，３２の基底部３３，３３が、鏡胴３４等の固定部材に回動軸３５，３５を中心に回動自在となるように取りつけられている。すなわち、光軸方向がその回動軸３５，３５の軸方向となるようにして、バリア羽根３２，３２が回動する構造となっている。そして、光軸を中心として回動するリング状のバリアリング３６によって、バリア羽根３２，３２の腕に設けられたピン３７，３７を揺動し、バリア羽根３２，３２を回動させて開閉させる構造となっている。
【０００３】
この、従来のレンズバリア３１の開閉機構は、バリアリング３６のレバー３８に設けたカム面３９とカメラ本体に設けたカム面４０を利用してバリアリング３６を回動させている。すなわち、撮影レンズが収納された鏡胴３４の摺動動作（伸長または沈胴）に応動して両カム面３９，４０が接離し、バリアリング３６を回動させている。そして、その結果として、バリア羽根３２，３２が開閉動作するようになっている。
【０００４】
このように、従来のカム面３９，４０を利用してバリアリング３６を回動させ、バリア羽根３２，３２を回動させるレンズバリア３１の開閉機構の技術は、実開昭６３−２６８３２号の他に、特開昭６３−９５４２６号公報や特開平１−２４８１４４号公報や特開平２−３１０５５１号公報等に示されており、従来技術として極めて一般的に採用されているものである。
【０００５】
【発明が解決しようとする課題】
この従来の技術、すなわち、鏡胴３４の摺動動作に応じて、互いに当接するカム面３９，４０を用いてバリアリング３６を回動させるものでは、バリアリング３６にねじれ方向の力が加わり、作動不良の原因となる問題が生じている。また、ねじれ方向の力は余分な力であり、その余分な力が加わることによって作動力量が大きくなる問題がある。
【０００６】
また、従来のレンズバリア３１では、異物がバリア羽根３２，３２に挟まった状態、例えば、人の指がバリア羽根３２に挟まった状態で、バリア羽根３２，３２を閉じようとすると、開閉機構の一部に破損が生じてしまう。すなわち、バリア羽根３２，３２間に異物が挟まった状態となると、バリア羽根３２，３２は回動できない状態になる。しかし、その状態にも拘わらず、沈胴動作は継続されるため、両カム面３９，４０の当接関係を深くさせる力は依然として働くこととなる。このため、強度的に弱い部分、例えば、レバー３８等が破損してしまう。
【０００７】
本発明は、上述の問題を解決するもので、バリアリングにねじれ方向の力が加わらないようにし、作動不良が生じないようにしたレンズバリアの開閉装置を提供することを目的とする。また、異物がバリア羽根に挟まったときにも、開閉機構に破損が生ずることがないレンズバリアの開閉装置を提供することを目的とする。
【０００８】
【課題を解決するための手段】
上述の目的を達成するため、本発明では、撮影レンズの前面を開閉するレンズバリアと、このレンズバリアの一端を係止するとともにレンズバリアを回動させて開閉駆動させるバリア駆動体と、レンズバリアおよびバリア駆動体を回動自在に保持するバリア押さえとを備えたレンズバリアの開閉装置において、一端側がレンズバリアに係止され、他端側がバリア駆動体に係止され、通常動作時はバリア駆動体と共に回動しレンズバリアとバリア駆動体を単につなぐ作用をする弾性体を設け、さらに、バリア押さえには、駆動ギアを設け、バリア駆動体には、駆動ギアと噛み合うことで駆動ギアの回動を伝えバリア駆動体を回動させる被駆動ギアと、レンズバリアの一端が挿入され、その一端がその内部を周方向に相対移動可能となる周方向に長い長孔とを設け、バリア駆動体をレンズバリアが閉じる方向に回動させた場合で、レンズバリアが開いたまま動作しなくなったときには、レンズバリアの一端が長孔内を周方向に相対移動すると共に弾性体に弾性力が働き、バリア駆動体が閉じる方向に正常に回動するようにしている。
【０００９】
また、バリア駆動体を回転リングとするとともに、駆動ギアの一部に噛合ギアを設け、この噛合ギアを撮影レンズを保持する鏡胴の動きと連動して動作するバリアレバーのギア部と噛み合わせることが好ましい。また、被駆動ギアをフェイスギアとすることができる。
【００１０】
また、他の発明は、上述の各発明に加え、一端側がバリア押さえに係止され、他端側がバリア駆動体に係止され、バリア駆動体を一方方向に付勢することで、レンズバリアを開方向に付勢することとなる付勢バネを設け、駆動ギアは、この装置を備えるカメラの鏡胴が沈胴したり繰り出されたときにスライドするバリアレバーと噛み合うようにされ、沈胴状態では、付勢バネに抗して、バリアレバーがスライドしないようにし、駆動ギアの回転を阻止することでレンズバリアを閉状態に維持し、鏡胴が繰り出されるときは、付勢バネの力により、バリアレバーがスライドするようにし、駆動ギアを回転させ、バリア駆動体を閉じる方向とは逆となる方向に回動させることで、レンズバリアを開くこととしている。
【００１１】
このレンズバリアの開閉装置は、たとえば、鏡胴がカメラ本体側に繰り込まれることにより、すなわち沈胴により、駆動ギアが回転し、この駆動ギアの回転により、バリア駆動体の被駆動ギアが動作して、バリア駆動体がレンズの光軸を中心として回動する。このバリア駆動体の回動により、レンズバリアが閉じる方向に回動し、レンズバリアが閉じる。鏡胴が伸長するときは、バリア駆動体は逆方向に回動して、レンズバリアが開口する。
【００１２】
このレンズバリアの開閉装置は、鏡胴の沈胴により、バリア駆動体に係止されたレンズバリアが、バリア駆動体の回動にしたがって閉まる方向に回動する。このとき、レンズバリアの羽根の間に異物が挟まっても、レンズバリアとバリア駆動体との間は弾性体を介して係止され、レンズバリアの一端がバリア駆動体に設けた長孔に挿入されているので破損等は生じない。すなわち、レンズバリアの動作が停止したままバリア駆動体が動作しても、レンズバリアの一端は長孔内を相対移動でき、両者の動作のギャップを吸収するため、開閉装置の破損を防止することができる。
【００１３】
【発明の実施の形態】
以下、図１から図７に基づいて、本発明の実施の形態を説明する。
【００１４】
図１は、レンズバリア１をカメラの前面から透視した状態を示す図であり、レンズバリア１が閉まっている状態を示している。図２は、同じくレンズバリア１をカメラの前面から透視した状態を示し、レンズバリア１が開いている状態を示している。図３は、図２のIII−III断面を示す図である。図４は、バリアギア４ｄとバリアレバー１１との係止関係を説明する一部破断面を示すもので、バリアギア４ｄを駆動する機構を説明する図である。図５は、バリア羽根２，３の平面図を示し、図６は、バリアリング４の平面図を示し、図７は、バリアレバーを示している。なお、図１および図２は、前述したように、前かざり１５側から透視した状態を示している。すなわち、前かざり１５は図示されておらず、バリア押さえ１２と鏡胴１３は一点鎖線で示されている。
【００１５】
レンズバリア１は、図３に示すように、鏡胴１３の前かざり１５と、鏡胴１３に固定されたバリア押さえ１２との間に、挟み込まれている。そして、前かざり１５とバリア押さえ１２とは、ネジ止めされている。
【００１６】
このレンズバリア１は、２枚のバリア羽根２，３で構成されている。そして、各バリア羽根２，３は、互いに対向する位置に、それぞれバリア押さえ１２に設けられたボス１２ａ，１２ｂを回転中心として、バリア押さえ１２に回動自在に取り付けられている。各バリア羽根２，３は、ボス１２ａ，１２ｂに取りつけられる基底部２ｂ，３ｂと、この基底部２ｂ，３ｂから拡がり扇型となって前かざり１５の開口部を開閉する羽根部２ａ、３ａとから構成されている。また、バリア羽根２，３の各基底部２ｂ，３ｂには、ボス１２ａ，１２ｂと係合するボス係合部２ｃ，３ｃと、裏側に突出するピン２ｄ，３ｄとが設けられている。このピン２ｄ，３ｄは、バリア押さえ１２の長孔１２ｃ，１２ｄおよびバリアリング４に設けられた長孔４ｅ，４ｆに挿通されている。このピン２ｄ，３ｄに回動力が働くことにより、ボス係合部２ｃ，３ｃを回動中心として、バリア羽根２，３は回動する。なお、バリア羽根２，３の互いの当接部２ｅ，３ｅは、先端が刃物上に薄くなっており、当接時、互いの当接部２ｅ，３ｅが重なるようにされている。
【００１７】
バリア駆動体となるバリアリング４は、バリア押さえ１２の裏側にレンズの光軸を回転中心として回動するように取り付けられている。そして、バリアリング４には、バリア羽根２，３のピン２ｄ，３ｄを挿通する長孔４ｅ，４ｆが光軸を中心として、互いに対向する位置に設けられている。また、バリアリング４には、コイルバネからなる付勢バネ５を係止するピン４ｂが設けられている。なお、バリアリング４の取り付けは、バリアリング４の円形孔４ａに設けた２つの切欠４ｉ，４ｊを、バリア押さえ１２の内側筒部１２ｇに設けた突起１２ｈ，１２ｉ部分に対して通過させた後、回動させることにより、バリアリング４をバリア押さえ１２の溝１２ｊ内に入れ込むことにより行われる。
【００１８】
この付勢バネ５の一端は、バリア押さえ１２側のピン部６に係止されて、他端は前述のようにバリアリング４のピン４ｂに係止されている。そして、付勢バネ５は、バリアリング４が回動して、バリア羽根２，３を閉鎖位置に動作させるときに伸びるようにされている。このため、バリア羽根２，３は、開口方向に常時付勢されていることとなる。なお、付勢バネ５は、図３に示すように、バリア押さえ１２の一方の突起１２ｉに沿うように配置される。そして、この突起１２ｉには、付勢バネ５側に壁部１２ｋが形成され、付勢バネ５を沿わせると共に凹部１２ｍが形成され、レンズ群１４の固定部の一端１４ａが貫入可能に対向している。
【００１９】
また、バリア押さえ１２の長孔１２ｃ，１２ｄおよびバリアリング４の長孔４ｅ，４ｆに挿通されたバリア羽根２，３のピン２ｄ，３ｄは、固定バネ７ａ，７ｂの一端を係止している。固定バネ７ａ，７ｂの他端は、バリアリング４に設けたピン４ｇ，４ｈに係止されている。なお、固定バネ７ａ，７ｂは、コイルバネからなる弾性体であるが、通常のレンズバリア１の開口動作および閉鎖動作を行うときは、ピン２ｄ，３ｄとピン４ｇ，４ｈとを単につなぐ機能を持っているのみである。
【００２０】
また、付勢バネ５が設けられている位置に対し、光軸を中心にして略反対側の位置に、平面的なフェイスギアとなるバリアギア４ｄを有するギア体４ｃが設けられている。このバリアギア４ｄは、被駆動ギアであり、フェイスギアあるいはかさ歯車等からなる。ギア体４ｃは、バリアリング４に熱かしめ付けや、接着あるいは一体成形等によって形成される。なお、この実施の形態では、ギア体４ｃは、バリアギア４ｄを含め樹脂一体成型となっており、熱かしめ付けによりバリアリング４に一体化されている。
【００２１】
一方、バリア押さえ１２の筒部１２ｅには、バリアギア４ｄに噛み合うバリアギア８ｃと、このバリアギア８ｃと軸８ｂを介して一体に回転するバリアギア８ａからなる駆動ギアとなるバリアギア部８が取り付けられている。このバリアギア部８の回転によりバリアリング４を回動し、バリア羽根２，３がボス１２ａ，１２ｂを回転中心として回動して、レンズバリア１の開口および閉鎖を行う。なお、バリアギア８ａとバリアギア８ｃとは、軸８ｂに圧入されることにより取り付けられていると共に、各部材８ａ，８ｂ，８ｃはすべて金属製となっている。また、バリアギア８ａは、駆動ギアの一部となると共に噛合ギアとなっている。
【００２２】
バリアギア８ａが取り付けられるバリア押さえ１２の筒部１２ｅの外周面側には、図４に示すように、突起１２ｆが設けられている。また、バリアギア８ａは、鏡胴１３の軸方向に伸びる板状のバリアレバー１１の先端側面に設けられたギア部１1ａと噛み合っている。この、バリアレバー１１の先端部の中央には、バリア押さえ１２の突起１２ｆが挿入される長孔１１ｂが設けられており、その突起１２ｆがその長孔１１ｂ内を摺動し、バリアレバー１１をガイドするようになっている。
【００２３】
また、バリアレバー１１には、図４および図７に示すように線状の突起１１ｃが設けられており、鏡胴１３側の溝（図示省略）とはめあわされ、鏡胴１３が沈胴や伸長する際に、バリアレバー１１を光軸方向へ摺動させるためのガイドの機能を果たすようになっている。なお、鏡胴１３の内側には、シャッタユニット１０と、撮影レンズとなるレンズ群１４とが設けられている。そして、レンズ群１４は、シャッタユニット１０に位置決め固定されると共に、バリア押さえ１２の内側筒部１２ｇに嵌合されている。
【００２４】
次に、本実施の形態のレンズバリア１の開口動作および閉鎖動作を説明する。
【００２５】
図１に示すように、バリア羽根２，３が閉鎖状態にあるとき、鏡胴１３はカメラの本体側に沈胴している。このとき、バリアレバー１１は、カメラ本体側の突起１６（図４参照）と当接して押され、前かざり１５側にスライドしている。このため、バリアギア８ａ，８ｃを介してバリアリング４は、付勢バネ５の力に抗して図１で反時計方向に回動させられている。この回動により、固定バネ７ａ，７ｂを係止するバリアリング４のピン４ｇ，４ｈがそれぞれ開口位置に比べて反時計方向へ回動した位置となる。このため、固定バネ７ａ，７ｂは、バリア羽根２，３のピン２ｄ，３ｄをそれぞれ反時計方向に引っ張っている。これにより、バリア羽根２，３はバリア押さえ１２のボス１２ａ，１２ｂを回転中心として時計方向に回動して、羽根部２ａ，３ａの一辺が互いに当接した閉鎖位置となっている。なお、このとき、各羽根部２ａ，３ａの先端部分がバリア押さえ１２に設けたストッパー部１２ｎ，１２ｐに当たり、バリア羽根２，３の回動は阻止されている。
【００２６】
メインスイッチをオンする等の操作を行って、カメラを作動状態にすると、沈胴していた鏡胴１３が伸長、すなわち、繰り出される。鏡胴１３が繰り出されると、バリアレバー１１を押していた力がなくなる。これにより付勢バネ５の付勢力により、バリアリング４は、図１および図２で時計方向に回動する。このバリアリング４が時計方向に回動することにより、ピン４ｇ，４ｈとそれぞれ固定バネ７ａ，７ｂを介して係止されているバリア羽根２，３のピン２ｄ，３ｄが反時計方向に回動する。この結果、バリア羽根２，３がボス１２ａ，１２ｂを回動中心にして、反時計方向に回動してレンズバリア１は開口状態となる。
【００２７】
この開口動作の際、バリアリング４の回動は、バリアギア４ｄ，バリアギア８ｃおよびバリアギア８ａを介してバリアレバー１１に伝えられる。このため、バリアレバー１１は、鏡胴１３の繰り出し方向とは逆の方向に摺動する。なお、この摺動は、バリアレバー１１の突起１１ｃが鏡胴側の溝によってガイドされ、かつ、バリアレバー１１の長孔１１ｂがバリア押さえ１２の突起１２ｆにガイドされることにより行われる。
【００２８】
メインスイッチをオフする等の操作により、鏡胴１３がカメラ本体に沈胴する。この沈胴により、バリアレバー１１がカメラ本体側の突起１６により押される。この結果、バリアギア８ａが回動し、また、このバリアギア８ａの回動により、バリアギア８ｃに噛み合うバリアギア４ｄが図１および図２で反時計方向に回動する。これによりバリアリング４が付勢バネ５の力に抗して反時計方向に回動し、バリア羽根２，３を閉鎖位置に回動させる。
【００２９】
なお、この実施の形態のレンズバリア１の開閉装置は、バリア羽根２，３が閉鎖位置となった後も、沈胴動作がわずかな期間継続するように構成されている。このためバリアリング４はさらに若干回動する。この回動により、付勢バネ５は、さらに伸ばされると共に、固定バネ７ａ，７ｂが伸ばされ始める。このとき、固定バネ７ａ，７ｂはどんどん伸びて行くが、バリア羽根２，３のピン２ｄ，３ｄは、バリアリング４の長孔４ｅ，４ｆに挿入されているため、バリアリング４がさらに回動しても、その長孔４ｅ，４ｆ内を相対移動できる。すなわち、バリアリング４と共に長孔４ｅ，４ｆが回動しても、バリア羽根２，３のピン２ｄ，３ｄにその長孔４ｅ，４ｆが突き当たることがない。その後、沈胴動作が終了するとバリアリング４の回動は停止し、各バネ５，７ａ，７ｂは、その状態を維持する。このバリアリング４の過剰な回動の結果、バリア羽根２，３による閉鎖が固定バネ７ａ，７ｂの弾性力によって維持されると共に、各部材の精度誤差が吸収されることとなる。
【００３０】
ここで、このバリア羽根２，３を閉じるとき（図１および図２でバリア羽根２，３を時計方向に回動するとき）、このバリア羽根２，３の間に、例えば、指などの異物が挟まった場合、バリアリング４が反時計方向に回動しても、バリア羽根２，３のピン２ｄ，３ｄは、固定バネ７ａ，７ｂの弾性力に抗して停止する。一方、バリアリング４は、沈胴動作に連動して、さらに回動する。このとき、固定バネ７ａ，７ｂはどんどん伸びて行くが、バリア羽根２，３のピン２ｄ，３ｄは、バリアリング４の長孔４ｅ，４ｆに挿入されているため、バリアリング４がさらに回動しても、その長孔４ｅ，４ｆ内を相対移動できる。すなわち、バリアリング４と共に長孔４ｅ，４ｆが回動しても、バリア羽根２，３のピン２ｄ，３ｄにその長孔４ｅ，４ｆが突き当たることがない。このため、異物が挟まった状態であっても、バリアリング４は、さらなる回動が可能となる。このようにバリア羽根２，３間に異物が挟まったり、バリア羽根２，３に外部から力が働いたりしても、その力は固定バネ７ａ，７ｂおよび長孔４ｅ，４ｆによって吸収されるため、破損することがない。
【００３１】
ここにおいて、本実施の形態の特徴は、バリアリング４の回動が、バリアレバー１１によって駆動されるバリアギア８ａ，８ｃの回動により与えられることである。また、バリア羽根２，３のピン２ｄ，３ｄが、バリアリング４の長孔４ｅ，４ｆに挿入されて、バリアリング４の回動とバリア羽根２，３の回動とにギャップが生じたときは、この長孔４ｅ，４ｆ内を相対移動して破損を防止することにある。
【００３２】
また、この実施の形態では、バリアレバー１１に突起１１ｃを設け、カメラ本体側の溝（図示省略）に嵌合させ、バリアレバー１１をガイドするようにしたので、バリアレバー１１の動作が安定したものとなる。さらに、バリアギア部８をバリア押さえ１２の筒部１２ｅに設けたので、バリアギア８ａ，８ｃをコンパクトに構成することができる。
【００３３】
なお、上述の実施の形態は、本発明の好適な実施の形態の例であるが、これに限定されるものではなく、本発明の要旨を逸脱しない範囲において、種々変形実施可能である。例えば、図１および図２に示すバリアリング４のバリアギア４ｄは、フェイスギアとしたが、バリアギア４ｄとバリアギア８ｃをかさ歯車とすることもできる。なお、フェイスギアは平面的であるため、バリアリング４の厚さを薄くできる利点がある。
【００３４】
また、駆動ギアとなるバリアギア８ｃをバリア押さえ１２に設けるのではなく、鏡胴１３等他の固定部に設けるようにしても良い。すなわち、バリアギア８ｃやバリアギア８ａは、バリア押さえ１２に代表される固定部に取り付けることができる。
【００３５】
また、駆動ギアとなるバリアギア８ｃを回動させる手段として、バリアレバー１１の他に、沈胴動作と連動する超小型モータやラチェット機構等他の手段を採用することができる。さらに、バリア駆動体となるバリアリング４としては、回転リングではなく、リングの一部を切り欠いた回動体としても良い。
【００３６】
【発明の効果】
以上説明したように、請求項１の発明では、カム機構を用いないため、バリア駆動体を駆動する力の方向に無理がなく、効率よく力を伝達することができる。また、カム機構を用いることによる作動不良の問題も発生しなくなる。しかも、バリア羽根に異物等が挟まってもバリア羽根を駆動するバリア駆動体は回動を継続できるため、駆動機構が破損するようなことはなくなる。加えて、請求項２記載の発明では、バリア駆動体が回転リングとなるので回動がスムーズとなると共に、バリアレバーの作用によって、鏡胴の動きとレンズバリアの動きとを確実に連動させることができる。また、請求項３記載の発明では、フェイスギアを利用しているのでバリア駆動体を薄くすることができる。
【００３７】
また、請求項４記載の発明では、カメラの鏡胴を沈胴状態としたり、繰り出すときに、その動作と連動させてレンズバリアを開閉させることができる。
【図面の簡単な説明】
【図１】本発明の実施の形態であるバリアレンズの開閉装置の閉鎖状態をカメラの前面から透視した状態を示す図である。
【図２】本発明の実施の形態であるバリアレンズの開閉装置の開口状態をカメラの前面から透視した状態を示す図である。
【図３】図２のIII−III線断面図である。
【図４】図１および図２に示すバリアレンズの開閉装置のバリアギアとバリアレバーとの係合関係を説明するための一部破断図である。
【図５】図１および図２に示すバリアレンズの開閉装置に使用されるバリア羽根の平面図である。
【図６】図１および図２に示すバリアレンズの開閉装置に使用されるバリアリングの平面図である。
【図７】図１および図２に示すバリアレンズの開閉装置に使用されるバリアレバーを示す図で、（Ａ）は平面図で、（Ｂ）はＢ−Ｂ断面図である。
【図８】従来のレンズバリアの開閉装置を示す図で、カメラに組み込まれた状態を示す一部破断斜視図である。
【図９】図８のレンズバリア機構の平面図である。
【符号の説明】
１  レンズバリア
２  バリア羽根
２ａ  羽根部
２ｂ  基底部
２ｃ  ボス係合部
３  バリア羽根
３ａ  羽根部
３ｂ  基底部
３ｃ  ボス係合部
４  バリアリング（バリア駆動体）
４ｄ  バリアギア（被駆動ギア）
４ｅ，４ｆ  長孔
５    付勢バネ
６    ピン部
７ａ，７ｂ  固定バネ（弾性体）
８  バリアギア部（駆動ギア）
８ａ  バリアギア（噛合ギア）
８ｃ  バリアギア
１１  バリアレバー
１１ａ  ギア部
１２  バリア押さえ
１３  鏡胴
１４  レンズ群（撮影レンズ）
【図１】
0003810476.tif 000002
【図２】
0003810476.tif 000003
【図３】
0003810476.tif 000004
【図４】
0003810476.tif 000005
【図５】
0003810476.tif 000006
【図６】
0003810476.tif 000007
【図７】
0003810476.tif 000008
【図８】
0003810476.tif 000009
【図９】
0003810476.tif 000010